(57)【要約】  【課題】    光源を消灯せず、また、新たな部品を付加すること無しにオペレータに対する有害な光線の照射を防ぐことのできる分光光度計を提供する。  【解決手段】    測定光の光路や物理的特性を変更するための光学部品（スリット板１０３、光源切換ミラー、チョッピングミラー等）と、その駆動手段１０７、制御手段１１２、及び試料室１０９の蓋１１３の開放を検知する蓋開放検知手段１１４とを備えた分光光度計１００において、蓋開放検知手段１１４により試料室１０９の蓋１１３の開放が検知された際に、上記制御手段１１２によって、上記駆動手段１０７による上記光学部品１０３の駆動を制御することにより、試料室１０９への光線の入射を遮断する。【選択図】  図１
2005201680.tif 000002
【特許請求の範囲】
【請求項１】
試料室内にセットされた試料に測定光を照射し、その透過光又は反射光を検出する分光光度計であって、その測定光の光路や物理的特性の変更等の制御を行うために該測定光の光路上に配置された光学部品と、測定状態に応じて前記光学部品を駆動する駆動手段と、を有する分光光度計において、
a)前記試料室を開閉する蓋の開放を検知する蓋開放検知手段と、
b)該蓋開放検知手段によって試料室の蓋の開放が検知されたとき、試料室への測定光の入射が遮断されるように、前記駆動手段により前記光学部品の状態を設定する制御手段と、  を備えることを特徴とする分光光度計。
【請求項２】
上記光学部品が、スリット板であることを特徴とする請求項１に記載の分光光度計。
【請求項３】
上記光学部品が、光源切換ミラーであることを特徴とする請求項１に記載の分光光度計。
【請求項４】
上記光学部品が、測定光を測定試料側、又は参照試料側に振り分けるためのチョッピングミラーであることを特徴とする請求項１に記載の分光光度計。
【発明の詳細な説明】
【技術分野】
【０００１】
本発明は、有害な光線からオペレータを保護するための機能を備えた分光光度計に関する。
【背景技術】
【０００２】
分光光度計は光源からの光を分光器で分光し、測定試料に照射することにより、その各波長における透過率や反射率を測定する装置である。このような分光光度計の一例としては、例えば特許文献１に記載のものが挙げられる。
【０００３】
一般に、分光光度計の光源部には強い光を放つ光源が１個又は複数個設置してあり、試料室の蓋を開けると試料室に入射した光線が外部に漏れる可能性がある。一般的にはこうした漏洩光の強度はそれほど大きくないが、測定光の強度が特に大きかったり、装置がオペレータの目の高さに設置されたりしている場合等には、紫外線や強い白色光がオペレータの目に入る恐れがあった。そのため従来の分光光度計には、試料室の蓋が開放された時には光源を消灯する安全機能を備えたものがある。
【０００４】
しかしながら、上記のような光源を消灯することによりオペレータへの光線の照射を防ぐ方法では、試料室の蓋を開閉する度に、光源を再点灯し、次に測定可能となるまでの光源安定時間が必要となってくる。そのため、光源を消灯すること無くオペレータへの光線の照射を防ぐことが望ましいが、付加的に光線遮断のための部品を設けると、それだけ製造コストが増大してしまうという問題がある。
【特許文献１】特開2000-121546号公報
【発明の開示】
【発明が解決しようとする課題】
【０００５】
本発明が解決しようとする課題は、光源を消灯せず、また光線遮断のための新たな部品を付加すること無く、オペレータへの光線の照射を防ぐ機能を有する分光光度計を提供することである。
【課題を解決するための手段】
【０００６】
分光光度計において、光源部から測定試料のセットされた試料室へと至る光路上には、測定光の収束、分岐、成形、及び方向変換を行ったり、光路長やスペクトル幅を調節したりするための、レンズ、ミラー、シャッター、スリットなどの各種光学部品が挿入されており、測定条件を適宜変更するために、これら光学部品の一部が機械的あるいは電気的に制御できるようになっているものも多い。本願発明者は、こうした光学部品を利用することによって、新たな部品を付加することなくオペレータへの光線の照射を回避できることに想到し、本願発明に至った。
【０００７】
即ち、上記課題を解決するために成された本発明に係る分光光度計は、試料室内にセットされた試料に測定光を照射し、その透過光又は反射光を検出する分光光度計であって、その測定光の光路や物理的特性の変更等の制御を行うために該測定光の光路上に配置された光学部品と、測定状態に応じて前記光学部品を駆動する駆動手段と、を有する分光光度計において、前記試料室を開閉する蓋の開放を検知する蓋開放検知手段と、該蓋開放検知手段によって試料室の蓋の開放が検知されたとき、試料室への測定光の入射が遮断されるように、前記駆動手段により前記光学部品の状態を設定する制御手段と、を備えることを特徴とする。
【０００８】
分光光度計の一態様として、分光器と試料室の間にスリット板を設け、スリット切換機構によってスリット穴の幅を変更することにより、スリットを通過して試料室に入射する測定光のバンド幅を変換できるものがある。こうした構成の分光光度計に本発明を適用する場合、本発明における光学部品としてスリット板を利用することができる。
【０００９】
また、分光光度計の他の態様として、波長範囲の異なる複数の光源を有し、光源の近傍に設けられた回動可能な光源切換ミラーを駆動して、その角度を変更することによって、測定試料に入射させる光源を切り換える仕組みのものがある。こうした構成の分光光度計に本発明を適用する場合、本発明における光学部品として光源切換ミラーを利用することができる。
【００１０】
更に、分光光度計の他の態様として、測定光を測定試料及び参照試料に照射し、両者の透過率又は反射率の比を測定することにより定性及び定量分析を行うダブルビーム式の分光光度計がある。このようなダブルビーム式の分光光度計では、回動可能なチョッピングミラー等によって、測定光の測定試料側又は参照試料側への照射、及び非照射の切り換えを行う。こうした構成の分光光度計に本発明を適用する場合、本発明における光学部品としてチョッピングミラーを利用することができる。
【００１１】
なお、蓋開放検知手段は、試料室の蓋が開放された際に、試料室に入射した過大な外光が検出器に入ることによって検出器が損傷するのを防ぐために設けられるものを利用することができる。このような蓋開放検知手段としては、例えば、蓋の開放によってオン/オフするリミットスイッチなどがある。
【発明の効果】
【００１２】
上記のように、本発明の分光光度計は、試料室の蓋の開放に応じて試料室への光線の入射を遮断することにより、オペレータの目や皮膚等に有害な光線が照射されるのを防ぐことができる。このような光線の遮断は、分光光度計に本来備えられている光学部品の駆動を適宜制御することによって行われるものであり、更に、このような光学部品の制御は従来から分光光度計に備えられている制御手段のプログラムを変更することによって実現できる。従って、本発明の分光光度計には、光線遮断のための機械的要素を新たに追加する必要が無く、従来の分光光度計と比べて大幅にコストアップすることなく製造することができる。
【発明を実施するための最良の形態】
【００１３】
以下、実施例を用いて本発明の分光光度計について詳細な説明を行う。
【００１４】
［実施例１］
図１(a)は、スリット切換機構を有する分光光度計の光路を中心とした概略構成図である。該分光光度計１００では、光源１０１からの測定光はレンズ１０２、スリット円盤１０３上のスリット穴、及びミラー１０４を介して回折格子１０５に入射する。回折格子１０５によって分光されたスペクトル光は、ミラー１０６を経てスリット円盤１０３上のスリット穴を通過した後、レンズ１０８を経て試料室１０９にセットされた測定試料１１０を通過し、検出器１１１によって検出される。このスリット円盤１０３には図１(b)のように幅の異なる複数のスリット穴１０３aが設けられており、その中心軸１０３cには、スリット切換モータ１０７のシャフトが接続されている。測定時には、制御部１１２により、求めるバンド幅に応じて該スリット切換モータ１０７を制御することで、該スリット円盤１０３を回動させ、光路上に位置するスリット穴１０３aを切り換える。
【００１５】
本実施例の分光光度計１００において、通常の測定時には、スリット円盤１０３上のスリット穴の開いている部分１０３aが光路上に位置しているが、試料室１０９の蓋１１３が開放され、蓋開放検知手段１１４によって蓋１１３の開放が検知されると、制御部１１２がスリット切換モータ１０７を制御し、スリット円盤１０３のスリット穴の無い部分１０３bが光路上に位置する状態でスリット円盤１０３を停止させ、試料室１０９に入射する光線を遮断する。これにより、試料室の蓋１１３を開放した際に、試料室１０９から測定光が漏洩するのを防止できるため、オペレータの目などに測定光が入ることがない。
【００１６】
なお、スリット切換機構としては、図１に示すような円盤状のスリット板を回転させるものに限らず、例えば、特開2003-166878号公報に記載のような、幅の異なる複数のスリット穴が直線状に設けられたスリット板を平行移動させることによりスリットの切換を行うものや、スリット板に設けられたスライド板を直線移動させることでスリット幅を連続的に変更させるものなど、電気的な駆動手段によりスリット幅の変更を行うものであれば、どのような構成としても良い。
【００１７】
［実施例２］
図２は、複数の光源を備え、光源切換機構によって測定に使用する光源の切り換えを行う分光光度計の光路を中心とした概略構成図である。
本実施例の分光光度計２００は、発光スペクトルの異なる２種類の光源（例えばタングステンヨウ素ランプと重水素ランプ）２０１、２０２を有しており、光源２０１、２０２からの光はその近傍に設けられた光源切換ミラー２０３によって反射されて入口スリット２０４に入射する。この時、該光源切換ミラー２０３の角度を、光源切換ミラー駆動モータ２１１及び制御部２１２によって変化させることにより、上記入口スリット２０４に入射させる光源の切り換えを行う。入口スリット２０４に入射した測定光は、回折格子２０５によって分光された後、出口スリット２０６、レンズ２０７を経て、試料室２０８にセットされた測定試料２０９を通過し、検出器２１０によって検出される。
【００１８】
本実施例の分光光度計２００においては、通常の測定時には、光源切換ミラー２０３は、第１光源２０１又は第２光源２０２のいずれかの光が入口スリット２０４に入射する角度に設定されているが、試料室２０８の蓋２１３が解放された時には、光源切換ミラー駆動モータ２１１及び制御部２１２によって、いずれの光源からの光も入口スリットに入射しない位置で、光源切換ミラー２０３を停止させることにより、光源からの光線を遮断する。これにより、試料室２０８の蓋２１３を開放した際に、試料室２０８から測定光が漏洩するのを防止できるため、オペレータの目などに測定光が入ることがない。
【００１９】
［実施例３］
図３(a)は、測定試料と参照試料を透過した光線の強度比を測定するダブルビーム型の分光光度計の光路を中心とした概略構成図である。本実施例のダブルビーム型の分光光度計３００は、光源３０１から照射され、回折格子３０４で分光された光を、測定試料３１２側と参照試料３１３側の二つの光路に振り分けるためのチョッピングミラー３０７を備えている。
【００２０】
チョッピングミラー３０７は、図３(b)に示すように、反射部３０７a、透過部３０７b、及び遮光部３０７cを備えており、中心軸３０７dにはチョッピングミラー駆動モータ３０８のシャフトが接続されている。該チョッピングミラー駆動モータ３０８によって該チョッピングミラー３０７を回動させることにより、光路上に反射部３０７a、透過部３０７b、又は遮光部３０７cを位置させて、測定試料３１２側または参照試料３１３側への光線の照射、あるいは非照射の切り換えを行うことができる。
【００２１】
図３(a)の構成では、光源３０１から発した光は、レンズ３０２、入口スリット３０３を通過して、回折格子３０４で分光された後、出口スリット３０５、ミラー３０６を経て、チョッピングミラー３０７に送られる。光路上にチョッピングミラー３０７の反射部３０７aが位置している場合には、測定光は反射部３０７aによって反射され、ミラー３１０を介して参照試料３１３に入射する。また、光路上にチョッピングミラー３０７の透過部３０７bが位置している場合には、測定光は反射されることなく直進し、ミラー３０９を介して測定試料３１２に入射する。参照試料３１３及び測定試料３１２を通過した光は、それぞれミラー３１５、３１４を介して検出器３１６に入射する。一方、光路上にチョッピングミラー３０７の遮光部３０７cが位置している場合には、どちらの試料にも光が照射されず、対応するデータはバックグラウンドを補正するためのゼロ信号となる。
【００２２】
本実施例の分光光度計３００では、通常の測定時には、参照試料３１３または測定試料３１２への測定光の照射、及び遮光が順次行われるように、制御部３１７によってチョッピングミラー３０７の回転駆動が制御されているが、試料室３１１の蓋３１８の開放が検知されると、制御部３１７は、上記遮光部３０７cが光路上にくる位置でチョッピングミラー３０７を停止させて試料室３１１への光線の入射を遮断する。これにより、試料室３１１の蓋３１８を開放した際に、試料室３１１から測定光が漏洩するのを防止できるため、オペレータの目などに測定光が入ることがない。
【００２３】
なお、上記実施例は単に一例であり、本発明の分光光度計は、本来分光光度計に備え付けられている光学部品の制御によってオペレータ保護機能を実現するものであれば、いかなる構成から成るものであっても良い。例えば、上記のようなスリット板、光源切換ミラー、チョッピングミラーを有する分光光度計のみならず、チョッパやシャッター等により光を周期的に通過・遮断する構成を有する分光光度計や、回折格子を回動させることにより波長の走査を行う分光光度計などにおいて、これらの光学部品の駆動を制御することによって、オペレータ保護機能を実現するものであってもよい。
【図面の簡単な説明】
【００２４】
【図１】(a)本発明の第１の実施例である、スリット切換機構を備えた分光光度計の光路を中心とした概略構成図。(b)スリット円盤を表す平面図
【図２】本発明の第２の実施例である、光源切換ミラーを備えた分光光度計の光路を中心とした概略構成図。
【図３】本発明の第３の実施例である、チョッピングミラーを備えたダブルビーム型分光光度計の光路を中心とした概略構成図。(b)チョッピングミラーを表す平面図
【符号の説明】
【００２５】
１００、２００、３００…分光光度計
１０１、２０１、２０２、３０１…光源
１０５、２０５、３０４…回折格子
１０９、２０８、３１１…試料室
１１３、２１３、３１８…蓋
１１４、２１４、３１９…蓋開放検知手段
１１０、２０９、３１２…測定試料
１１２、２１２、３１７…制御部
３１３…参照試料
１０３…スリット円盤
１０３a…スリット穴
１０７…スリット切換モータ
２０３…光源切換ミラー
２１１…光源切換ミラー駆動モータ
３０７…チョッピングミラー
３０７a…反射部
３０７b…透過部
３０７c…遮光部
３０８…チョッピングミラー駆動モータ
【図１】
2005201680.tif 000003
【図２】
2005201680.tif 000004
【図３】
2005201680.tif 000005